(57)【要約】      （修正有）【課題】高い作業性を確保することができるレベルアジャスタを提供する。【解決手段】本考案にかかるレベルアジャスタ１は、台座部２０の上部に回転可能に取り付けられた微調整ナット２１を有するフット部１０と、微調整ナット２１に螺合される微調整部と、側面に沿って複数の粗調整溝３０が刻み込まれる粗調整部と、が形成されるシャフト１１と、シャフトの粗調整溝３０が刻み込まれる粗調整部を上下するように取り付けられるベースポスト１２と、を有し、ベースポスト１２は、ベースポスト本体４０と、ベースポストの側面に設けられ、ロック状態において粗調整溝３０にかみ合わせられる爪を有するロックレバー４２と、ベースポスト本体４０の上端部に設けられ、他の装置に取り付けられるベースプレート４１と、ロックレバー４２をロック状態と解除状態とに維持するセイフティリング４３と、を有する。【選択図】図１
0003212390.tif 000002
【実用新案登録請求の範囲】
【請求項１】
台座部と、前記台座部の上部に回転可能に取り付けられた微調整ナットを有するフット部と、
前記微調整ナットに螺合される微調整部と、側面に沿って複数の粗調整溝が刻み込まれる粗調整部と、が形成されるシャフトと、
前記シャフトの前記粗調整溝が刻み込まれる粗調整部を上下するように取り付けられるベースポストと、を有し、
前記ベースポストは、
前記シャフトが貫通するベースポスト本体と、
前記ベースポストの側面に設けられ、ロック状態において前記粗調整溝にかみ合わせられる爪を有するロックレバーと、
前記ベースポスト本体の上端部に設けられ、他の装置に取り付けられるベースプレートと、
前記ベースポスト本体が貫通するように前記ベースポスト本体に嵌め込まれ、前記ロックレバーをロック状態と解除状態とに維持するセイフティリングと、を有するレベルアジャスタ。
【請求項２】
前記シャフトは円柱の側壁の一部に平坦面を有し、
前記ベースプレートに設けられ、前記シャフトが貫通するシャフト貫通穴には、穴の外周に前記平坦面に合わせた直線部を有する請求項１に記載のレベルアジャスタ。
【考案の詳細な説明】
【技術分野】
【０００１】
本考案はレベルアジャスタに関し、特に装置の下部に設けられ、装置を設置した際の装置の傾きを調節するレベルアジャスタに関する。
【背景技術】
【０００２】
様々な装置において、装置を設置した際に、装置を水平に設置する必要がある。しかしながら設置場所の接地面は必ずしも水平となっているとは限らない。そこで、接地面の傾き、或いは、凹凸によらずに装置を水平に維持するレベルアジャスタが用いられる。このレベルアジャスタは、装置の下部に設けられ装置の台座として機能するものであり、接地面に接する台座と装置に取り付けられるベースプレートとの距離を調節することで、装置を水平に維持する。このレベルアジャスタの一例が特許文献１に開示されている。
特許文献１は、レベルアジャスタ取付金具に関するものであるが、図３等において、このレベルアジャスタ取付具に取り付けられるレベルアジャスタが開示されている。特許文献１に記載のレベルアジャスタは、下部が円錐形状に広がった台座に固定されるボルトを有し、レベルアジャスタのボルトの螺子部をレベルアジャスタ取付部に設けられるナットに螺合することで、台座の高さ（例えば、レベルアジャスタ取付金具と台座との距離）を調節する。
【先行技術文献】
【特許文献】
【０００３】
【特許文献１】特開２０１６−２１１７１７号公報
【考案の概要】
【考案が解決しようとする課題】
【０００４】
しかしながら、特許文献１に開示されているレベルアジャスタは、台座の高さを調節するためにボルトを回転させなければならず、調整しなければならない台座高さが大きくなると何回転もボルトを回転させなければならず、作業性が低下する問題があった。
【課題を解決するための手段】
【０００５】
本考案にかかるレベルアジャスタの一態様は、台座部と、前記台座部の上部に回転可能に取り付けられた微調整ナットを有するフット部と、前記微調整ナットに螺合される微調整部と、側面に沿って複数の粗調整溝が刻み込まれる粗調整部と、が形成されるシャフトと、前記シャフトの前記粗調整溝が刻み込まれる粗調整部を上下するように取り付けられるベースポストと、を有し、前記ベースポストは、前記シャフトが貫通するベースポスト本体と、前記ベースポストの側面に設けられ、ロック状態において前記粗調整溝にかみ合わせられる爪を有するロックレバーと、前記ベースポスト本体の上端部に設けられ、他の装置に取り付けられるベースプレートと、前記ベースポスト本体が貫通するように前記ベースポスト本体に嵌め込まれ、前記ロックレバーをロック状態と解除状態とに維持するセイフティリングと、を有する。
【考案の効果】
【０００６】
本考案によれば、レベルアジャスタの調整幅の大きさに関わらず、高い作業性を確保することができる。
【図面の簡単な説明】
【０００７】
【図１】実施の形態１にかかるレベルアジャスタの概略図である。
【図２】実施の形態１にかかるフット部の概略図である。
【図３】実施の形態１にかかるシャフトの概略図である。
【図４】実施の形態１にかかるベースポスト本体の概略図である。
【図５】実施の形態１にかかるロックレバーの概略図である。
【図６】実施の形態１にかかるセイフティリングの概略図である。
【図７】実施の形態１にかかるレベルアジャスタの粗調整時の動きを説明するレベルアジャスタの概略図である。
【図８】実施の形態１にかかるレベルアジャスタの微調整時の動きを説明するレベルアジャスタの概略図である。
【考案を実施するための形態】
【０００８】
実施の形態１
以下、図面を参照して本考案の実施の形態について説明する。まず、実施の形態１にかかるレベルアジャスタ１は、機器の下部に設けられる脚として用いられるものであって、機器を支える台座となる。また、実施の形態１にかかるレベルアジャスタ１は、機器から突出するシャフトの長さを調節可能なものである。このレベルアジャスタのシャフトの長さを調節することで、レベルアジャスタ１が取り付けられた機器は設置状態での傾きを調節することができる。機器の設置状態での傾きは、接地面の傾き又は凹凸によらずに水平であることが好ましいことが多い。
【０００９】
図１に実施の形態１にかかるレベルアジャスタ１の概略図を有する。なお、図に示したレベルアジャスタ１の概略図は、レベルアジャスタ１の側面図である。図１に示すように、実施の形態１にかかるレベルアジャスタ１は、フット１０、シャフト１１、ベースポスト１２を有する。
【００１０】
フット１０は、下部（例えば、接地面側）に向かって円錐状に広がる形状を有する台座部２０と、台座部２０の上部に回転可能に取り付けられた微調整ナット２１と、を有する。シャフト１１は、長手方向が接地面に対して垂直になるようにフット１０に差し込まれるように設けられる。より具体的には、シャフト１１は、微調整ナット２１に螺号される微調整部と、側面に沿って複数の粗調整溝３０が刻み込まれる粗調整部と、が形成される。ベースポスト１２は、シャフト１１の粗調整溝３０が刻み込まれる粗調整部を上下するように取り付けられる。
【００１１】
また、ベースポスト１２は、ベースポスト本体４０、ベースプレート４１、ロックレバー４２、セイフティリング４３を有する。ベースポスト１２では、ロックレバー４２及びセイフティリング４３を操作することでベースポスト１２をシャフト１１上の所定の位置に固定するロック状態とするか、ベースポスト１２をシャフト１１に沿って上下させることができるロック解除状態とするか、を切り替える。このベースポスト１２の詳細な構成は後述する。
【００１２】
続いて、レベルアジャスタ１を構成する各部品について詳細に説明する。まず、図２に実施の形態１にかかるフット１０の概略図を示す。図２では、フット１０の上面図、側面図、下面図及び正面断面図を示した。図２に示すように、フット１０は、台座部２０、微調整ナット２１を有する。台座部２０は、図２に示す例では、下部に向かって円錐状に広がる形状を有する。この台座部２０の形状は、シャフト１１の断面積よりも面積が広い接地面を有していれば良く、下部に向かって段階的に広がる形状を有していても良く、直方体、立方体等の角形状であっても良い。そして、台座部２０の上部には、微調整ナット２１が設けられる。微調整ナット２１には、側壁に螺子溝が形成されるナット穴２２が設けられている。このナット穴２２にはシャフト１１の微調整部が差し込まれる。そして、微調整ナット２１は、台座部２０と嵌合部２３により回転可能な状態で連結される。
【００１３】
続いて、図３に実施の形態１にかかるシャフト１１の概略図を示す。図３では、シャフト１１の上面図、側面図、正面図および下面図を示した。図３に示すように、シャフト１１は、微調整部３１と粗調整部３２とを有する。微調整部３１にはねじ山設けられており、微調整ナット２１のナット穴２２に差し込まれる。粗調整部３２には、円柱の側壁の一部に平坦面３３が設けられている。この平坦面３３によりシャフト１１は下面視では外周円形となるが、上面視では外周の一部が直線となる。粗調整部３２の円柱の側壁には複数の粗調整溝３０が設けられる。図３に示す例では、平坦面３３が設けられる壁面とは異なる面であって、対向する位置にそれぞれ直線上に並ぶように複数の粗調整溝３０が設けられる。
【００１４】
続いて、ベースポスト１２について説明する。ここでは、ベースポスト１２をベースポスト本体４０、ロックレバー４２、セイフティリング４３に分けて説明する。図４に実施の形態１にかかるベースポスト本体４０の概略図を示す。図４に実施の形態１にかかるベースポスト本体４０の概略図を示す。図４では、ベースポスト本体４０の上面図、側面図、正面図の断面図および下面図を示した。
【００１５】
図４に示すように、ベースポスト本体４０の上部にはベースプレート４１が設けられている。また、ベースポスト本体４０にはロックレバー穴４４及びロックレバー取り付け部４５が設けられている。ロックレバー穴４４は、ベースポスト本体４０の側壁に空けられた穴であり、ロックレバー４２の爪部をベースポスト本体４０の側壁の内部に出し入れするために用いられる。ロックレバー取り付け部４５は、ベースポスト本体４０の側壁に垂れられた突起部であり、ロックレバー４２の固定に用いられる、ロックレバー取り付け部４５は、２つの板により構成される。この２つの板はロックレバー穴４４の両側に沿って設けられる。ベースポスト本体４０には、ポスト貫通穴４６が設けられており、ポスト貫通穴４６にシャフト１１が貫通するように組み立てられる。このポスト貫通穴４６の内周は円形である。
【００１６】
ベースプレート４１は、図４に示す例では、それぞれの角部が所定の円弧形状を有する四角形状の板である。ベースプレート４１の四隅には、それぞれ機器接続穴４８が設けられている。ベースプレート４１は、この機器接続穴４８を貫通するボルトにより所定の機器と連結される。また、ベースプレート４１には、シャフト貫通穴４７が設けられている。このシャフト貫通穴４７は、シャフト１１が貫通する穴である。シャフト貫通穴４７は、穴の外周にシャフト１１の平坦面３３に合わせた直線部を有する。シャフト貫通穴４７の形状をこのような形状とすることで、シャフト１１に対してベースポスト１２が回転することを防止する。
【００１７】
図５に実施の異形態１にかかるロックレバー４２の概略図を示す。図５では、ロックレバー４２の上面図、右側面図、正面図、背面図および下面図を示した。図５に示すように、ロックレバー４２は、レバー部５１と柄５２とを有する。レバー部５１の幅Ｗ２は、柄５２の幅Ｗ１よりも小さくなっている。レバー部５１には爪５４が設けられる。爪５４は、面５４ａ、面５４ｂ及び面５４ｃにより構成される。面５４ａと面５４ｂは、ロック状態においてシャフト１１の粗調整溝３０を構成する面に接するように形成される。また、面５４ｃは、ロック状態において、セイフティリング４３に接する面である。
【００１８】
レバー部５１には、取り付け穴５３が設けられる。この取り付け穴５３は、ベースポスト本体４０のロックレバー取り付け部４５に設けられる穴に対応するもので有り、ロックレバー取り付け部４５に設けられる穴と取り付け穴５３とを貫通するピンを差し込むことで、柄５２がベースポスト本体４０に取り付けられる。ロックレバー４２には、バネ取り付け穴５５が設けられる。バネ取り付け穴５５は、ロックレバー４２がベースポスト本体４０に取り付けられた状態で、バネ取り付け穴５５とベースポスト本体４０との間に挟まれる弾性部材（例えば、バネ）を固定するための穴である。
【００１９】
ロックレバー４２は、バネ取り付け穴５５に取り付けられたバネにより、取り付け穴５３を中心に所定の力で閉じた状態に維持される。また、ロックレバー４２は、柄５２がベースポスト本体４０側に近づくような力を加えることで、開いた状態となる。
【００２０】
図６に実施の形態１にかかるセイフティリング４３の概略図を示す。図６では、セイフティリング４３の上面図、正面図、下面図及び３つの断面図を示した。なお、３つの断面図は、図６に示した下面図のＡ−Ａ断面、Ｂ−Ｂ断面、Ｃ−Ｃ断面を示すものである。
【００２１】
図６に示すように、セイフティリング４３は、中心部にポスト本体貫通穴６１を有する。また、ポスト本体貫通穴６１と繋がるように２つの溝６２が設けられる。この溝６２は、ベースポスト１２を組み立てる際にベースポスト本体４０のロックレバー取り付け部４５を通すためのものである。
【００２２】
また、セイフティリング４３は、下面側の外周にロック解除テーパー面６３が設けられる。このロック解除テーパー面６３は、ロックレバー４２がロック解除状態の位置にあるときにロックレバー４２の面５４ａに接する面である。また、セイフティリング４３の下面図を参照すると、ポスト本体貫通穴６１の外周に沿って、リング下平坦面６４が設けられる。そして、このリング下平坦面６４の一部を欠くようにロック状態テーパー面６５が設けられる。このロック状態テーパー面６５は、ロックレバー４２がロック状態の位置にある際に、面５４ｃが接する面である。
【００２３】
続いて、実施の形態１にかかるレベルアジャスタ１における高さ調整の方法について説明する。実施の形態１にかかるレベルアジャスタ１は、高さ調整において粗調整と微調整とを行う。そこで、図７に実施の形態１にかかるレベルアジャスタ１の粗調整時の動きを説明するレベルアジャスタ１の概略図を示す。
【００２４】
図７に示すように、レベルアジャスタ１の高さを粗調整する場合、まず、セイフティリング４３を引き上げて（図７の（１））ロックレバー４２の柄５２をベースポスト本体４０側に押し付けてベースポスト１２をロック解除状態（図７の（２））とする。次いで、セイフティリング４３を回転させると共に押し下げることでロックレバー４２をロック解除状態位置に固定する。これにより、ロックレバー４２の爪５４がシャフト１１の粗調整溝３０から外れるため、ベースポスト１２をシャフト１１に沿って自由に上下させることが出来る状態（図７の（４））となる。
【００２５】
そして、ある程度のベースポスト１２の位置が決まったところで、セイフティリング４３を引き上げて（図７の（１））ロックレバー４２の爪５４をシャフト１１の粗調整溝３０に引っかける。次いで、セイフティリング４３を回転させることでセイフティリング４３のロック状態テーパー面６５の位置とロックレバー４２の位置とを合わせた後にセイフティリング４３に押し下げて、ロックレバー４２をロック状態位置に固定する（図７の（３））。これにより、ロックレバー４２とセイフティリング４３との関係は後述する図８の状態となる。
【００２６】
図８に実施の形態１にかかるレベルアジャスタ１の微調整時の動きを説明するレベルアジャスタ１の概略図を示す。図８に示すように、レベルアジャスタ１の高さを微調整する場合、微調整ナット２１を回転させる（図８の（１））ことで、フット１０の位置を微調整する（図８の（２））。
【００２７】
上記説明より、実施の形態１にかかるレベルアジャスタ１では、粗調整時にはロックレバー４２をロック解除状態とすることでベースポスト１２をシャフト１１に沿ってスムーズにスライドさせ、粗調整溝３０の配置間隔に応じた調整ステップで固定する。また、実施の形態１にかかるレベルアジャスタ１は、微調整時には微調整ナット２１を回転させることで、フット１０の位置を調整ステップに制限されることなく連続的な位置に移動させる。
【００２８】
これにより、実施の形態１にかかるレベルアジャスタ１は、粗調整により短時間でおおざっぱなフット１０の位置を設定し、例えば、厳密な高さ調整を微調整により行うことができる。つまり、実施の形態１にかかるレベルアジャスタ１は、機器設置時の台座高さの調整を行う際の作業性を高めることができる。
【００２９】
また、実施の形態１にかかるレベルアジャスタ１は、セイフティリング４３を設けることで、ロックレバー４２をロック解除状態としたときと、ロックレバー４２をロック状態としたときの両方においてロックレバー４２が意図せず動いてしまうことを防止して、者業者の安全を確保することができる。
【００３０】
なお、本考案は上記実施の形態に限られたものではなく、趣旨を逸脱しない範囲で適宜変更することが可能である。
【符号の説明】
【００３１】
１  レベルアジャスタ
１０  フット
１１  シャフト
１２  ベースポスト
２０  台座部
２１  微調整ナット
２２  ナット穴
２３  嵌合部
３０  粗調整溝
３１  微調整部
３２  粗調整部
３３  平坦面
４０  ベースポスト本体
４１  ベースプレート
４２  ロックレバー
４３  セイフティリング
４４  ロックレバー穴
４５  ロックレバー取り付け部
４６  ポスト貫通穴
４７  シャフト貫通穴
４８  機器接続穴
５１  レバー部
５２  柄
５３  取り付け穴
５４  爪
５５  バネ取り付け穴
６１  ポスト本体貫通穴
６２  溝
６３  ロック解除テーパー面
６４  リング下平坦面
６５  ロック状態テーパー面
【図１】
0003212390.tif 000003
【図２】
0003212390.tif 000004
【図３】
0003212390.tif 000005
【図４】
0003212390.tif 000006
【図５】
0003212390.tif 000007
【図６】
0003212390.tif 000008
【図７】
0003212390.tif 000009
【図８】
0003212390.tif 000010